(57)【要約】【課題】透過光と反射光の両方を利用して試料上の欠陥を検査し、且つ短波長光学系の検査視野の空間分離に伴う光量損失を抑えて感度の良い検査を行う。【解決手段】パターンが形成された被測定試料に光を照射して得られるパターン画像を用いてパターン欠陥を検査するパターン欠陥検査装置であって、試料６のパターン面と反対面に波長λの第１の検査光を照射する第１の照射光学系と、第１の検査光の照射による試料６からの透過光を検出する第１の検出センサ１２と、試料６のパターン面に波長λの第２の検査光を照射する第２の照射光学系と、第２の検査光の照射による試料６からの反射光を検出する第２の検出センサ１７と、試料６のパターン面に対する光学的結像面近傍に設けられ、試料６からの透過光と反射光とを、パターンの観察視野内で空間的に分離された視野から得られるように分離するミラー１５からなる空間分離機構１０とを備えた。【選択図】    図１
2004301751.tif 000002
【特許請求の範囲】
【請求項１】
パターンが形成された被測定試料に光を照射して得られるパターン画像を用いてパターン欠陥を検査するパターン欠陥検査装置であって、
前記試料のパターン形成面又はその反対側の面に所定波長の第１の検査光を照射すると共に、前記パターン形成面に第１の検査光と波長が等しい第２の検査光を照射する手段と、
第１の検査光の照射による前記試料からの透過光と第２の検査光の照射による前記試料からの反射光とを独立に検出する手段と、
前記試料のパターン形成面に対する光学的結像面近傍に設けられ、前記試料からの透過光と反射光とが、パターンの観察視野内で空間的に分離された視野から得られたものとなるように前記各検査光の照射領域又は検査領域を空間的に分離する手段と、
を具備してなることを特徴とするパターン欠陥検査装置。
【請求項２】
パターンが形成された被測定試料に光を照射して得られるパターン画像を用いてパターン欠陥を検査するパターン欠陥検査装置であって、
前記試料のパターン形成面と反対側の面に所定波長の第１の検査光を照射する第１の照射光学系と、
第１の検査光の照射による前記試料からの透過光を検出する第１の検出センサと、
前記試料のパターン形成面に第１の検査光と波長が等しい第２の検査光を照射する第２の照射光学系と、
第２の検査光の照射による前記試料からの反射光を検出する第２の検出センサと、
前記試料のパターン形成面と前記各センサとの間の光学的結像面近傍に設けられ、前記試料からの透過光と反射光とを、パターンの観察視野内で空間的に分離された視野から得られるように分離する空間分離機構と、
を具備してなることを特徴とするパターン欠陥検査装置。
【請求項３】
前記空間分離機構により分離された透過光を第１の検出センサに導く第１の検出光学系と、前記空間分離機構により分離された反射光を第２の検出センサに導く第２の検出光学系とを備えたことを特徴とする請求項２記載のパターン欠陥検査装置。
【請求項４】
第２の照射光学系は、前記試料のパターン形成面と前記空間分離機構との間に設けられた偏光ビームスプリッタを有し、この偏光ビームスプリッタは、第２の検査光を反射して前記試料のパターン形成面に導くと共に、前記試料からの透過光及び反射光を通過させるものであることを特徴とする請求項２又は３記載のパターン欠陥検査装置。
【請求項５】
第２の照射光学系は、前記空間分離機構と第２の検出センサとの間に設けられた偏光ビームスプリッタを有し、この偏光ビームスプリッタは、第２の検査光を透過又は反射して前記空間分離機構に導くと共に、前記空間分離機構を介して得られる前記試料から反射光を反射又は通過させて第２の検出センサに導くものであることを特徴とする請求項２又は３記載のパターン欠陥検査装置。
【請求項６】
パターンが形成された被測定試料に光を照射して得られるパターン画像を用いてパターン欠陥を検査するパターン欠陥検査装置であって、
前記試料のパターン形成面に所定波長の第１の検査光を照射する第１の照射光学系と、
第１の検査光の照射による前記試料からの透過光を検出する第１の検出センサと、
前記試料のパターン形成面に第１の検査光とは波長が等しく偏光方向の異なる第２の検査光を照射する第２の照射光学系と、
第２の検査光の照射による前記試料からの反射光を検出する第２の検出センサと、
前記試料のパターン形成面と第２の検出センサとの間の光学的結像面近傍に設けられ、第１及び第２の検査光を反射又は透過して前記試料のパターン形成面に導き、前記試料からの反射光を透過又は反射して第２の検出センサに導く偏光ビームスプリッタと、
を具備してなることを特徴とするパターン欠陥検査装置。
【請求項７】
前記試料のパターン形成面に対する光学的結像面は、少なくとも前記パターン形成面で観察される観察視野の拡大結像面であり、前記空間分離機構としてミラーを用い、このミラーを光学的結像面から少しずらした位置に固定したことを特徴とする請求項２〜５の何れかに記載のパターン欠陥検査装置。
【発明の詳細な説明】
【０００１】
【発明の属する技術分野】
本発明は、パターンの欠陥を検査するパターン欠陥検査装置に係わり、特に半導体素子や液晶ディスプレイ（ＬＣＤ）を製造するときに使用されるマスク，ウエハ，及び液晶基板等のパターンに含まれる欠陥を検査するパターン欠陥検査装置に関する。
【０００２】
【従来の技術】
近年、大規模ＬＳＩの製作に用いられるマスクの設計データと測定データとを比較してパターンの検査を行うパターン欠陥検査装置において、透過光学系に加えて反射光学系を搭載することにより、検出感度の向上を図ったものが開発されている（非特許文献１）。この装置では、透過光検査で用いる波長と反射光検査で用いる波長を異ならせることによって、構成される光学系内でフィルタによって波長分離し、それぞれの光を透過・反射検出センサに入れている。
【０００３】
しかしながら、検出感度を上げるため、さらにはリソグラフィで用いられている波長に合わせた検査を行うために検査波長の短波長化が必要となっており、検査波長の短波長化によって光学レンズの設計が難しくなり、特に２波長で収差を少なくしたレンズ設計が困難となってきている。このため、１００ｎｍの欠陥サイズを検出するような検査装置では、透過・反射の波長を変えた光学システムの採用は難しいという問題が生じてきた。従って、単一の波長を用いて透過と反射画像を得る方法の必要性が出てきた。
【０００４】
透過光・反射光の両方で観察する場合、同じ位置を同軸で照射し観察画像を取ることが一般に行われてきた（特許文献１，２）。この方法は、ビームスキャン技術を採用し、透過画像・反射画像取得に十分に考慮された方法ではあるが、同じ領域を観察している場合には何らかの方法で画像を光学的に分離する必要が出てくる。従来のようにフィルタで２波長を分離する場合は光量損失は比較的少ないが、単一波長の場合はハーフミラー等の分離によって行う方法では得られる光量が半分となってくるため、光量損失が大きくなる。
【０００５】
また、短波長光源としてはレーザが用いられることが多く、このレーザ光の分離には偏光分離方法が用いられる。しかし、偏光分離では、透過と反射の完全な偏光分離が難しく互いの若干が生じること、偏光効率が短波長偏光ビームスプリッタでは低下してきているため光量低下があること、偏光分離（偏光ビームスプリッタ等）を使用する場合はその光学系の一部にλ／２やλ／４板などの偏光板を挿入しなくてはならず、少なからずこの部分の光量の損失があることなどが指摘されている。さらに、被測定試料面に対向する位置に最も光学部品で重要な対物レンズを置く必要があるため、光学系の構成が非常に複雑・高価になる。
【０００６】
一方、同一点にビームを照射せず透過光用の照射、反射光用の照射と分離して観察系の同一視野内にビームを照射する、光学系検査方法及び装置が提案されている（特許文献３）。この方法のように観察系を視野内で分離する方式は、最も重要な光学部品である対物レンズを１個しか用いずに構成できることから、上記特許文献１，２の弱点をカバーする方法でもある。
【０００７】
しかしながら、入射ビームの照射方法や視野の分離の方法、検出センサへ透過光・反射光を導く方法などで光量的に損失が大きい方法である。特に、反射光束導入部から検出センサへの透過光・反射光分離の考え方に光量損失の検討がなされていないのが欠点である。さらに、反射光束導入部から透過光・反射光検出センサへのそれぞれの部分に独立で変倍できる光学系が導入されていない。検出センサを極接近してレイアウトして検出したとしても、検査に必要な光学倍率とセンサの物理的な大きさの兼ね合いから現実的にセンサを接近して置く設計は難しい。また、この部分で、光束をビームスプリッタで分離する方法も提案されているが、上述したように光量損失の検討がなされていないなど問題が残っている。
【０００８】
今後、検査波長が２００ｎｍ以下と短波長された場合には光量の劣化は最も注意すべき課題である。さらに、上記の文献は、透過光・反射光の得えられる光量の差を検討して透過光・反射光の同時検査を検討してはおらず、実運用上は多くの問題が残っている。
【０００９】
以下、特許文献３の構成を含めて、従来の短波長光学系で検討されてきた光学システムにおける光量の低下の説明を行う。図９は、透過光・反射光を検出できる光学系の一例を示す図である。
【００１０】
レーザ光源１５４から出射された光は、λ／２板１４１によって偏光面を４５度回転させ、偏光ビームスプリッタ１４２（Ｐｏｌａｒｉｚｉｎｇ  Ｂｅａｍ  Ｓｐｌｉｔｔｅｒ：ＰＢＳ）によって透過用光束▲１▼と反射用光束▲２▼に別けられる。それぞれの偏光状態を、透過光ではＰ偏光とし、反射光ではＳ偏光とする。透過光束▲１▼は、適当なミラー１４３，λ／４板１４５，コンデンサレンズ１４４を通して試料１４６上に円偏光として照射される。試料１４６を通過した光は対物レンズ１４７を通り、再度λ／４板１４８を通してＳ偏光になりハーフミラー１４９を通過し、更に偏光ビームスプリッタ１５０によって偏光分離させられ、Ｓ偏光透過光が透過光検出センサ１５１に集光する。
【００１１】
一方、反射光用光束▲２▼はミラー１５２で曲げられ、上述したハーフミラー１４９で反射しλ／４板１４８，対物レンズ１４７を通過しパターンを照射する。試料１４６からの反射光は再度対物レンズ１４７，λ／４板１４８を通してＰ偏光となりハーフミラー１４９を通過、偏光ビームスプリッタ１５０によって偏光分離させられ、Ｐ偏光反射光が反射光検出センサ１５３に入射する。このような光学系では、反射用光束がハーフミラー１４９を２回通るので、その光量は少なくとも０．５×０．５＝０．２５となり、最初の１／４に低減する。
【００１２】
図９で示した光学系の偏光ビームスプリッタ１４２，１５０（ＰＢＳ），及びハーフミラー１４９（ＨＭ）の配置構成は様々考えられる。これらの配置構成を考慮して光量損失を纏めた結果を下記の（表１）に示す。ここで、照明光学系と示した部分は光学分離部（Ａ）を示し、検出光学系と示した部分は光学分離部と検出センサ部との間（Ｂ）を示す。偏光ビームスプリッタ１４２（ＰＢＳ）によって透過用光束▲１▼と反射用光束▲２▼に別けられる部分はＨＭを使用したり、別のレーザ光源（この場合は同一波長）を用いても可能であるために、光量損失の対象とはしなかった。短波長光学系対応の偏光ビームスプリッタを用いた場合の効率を０．５〜１．０とし、ハーフミラーを用いた場合の損失を０．５とした。また、試料面の反射率は光学構成に関係なしに決まるため、試料面での反射率は損失には考慮していない。
【００１３】
（表１）より様々な光学素子を検討したとしても、高々０．５程度、即ち半分の光量が得られれば最大ということになる。
【００１４】
【表１】
2004301751.tif 000003
【００１５】
【特許文献１】
米国特許第５５７２５９８号
【００１６】
【特許文献２】
米国特許第５５６３７０２号
【００１７】
【特許文献３】
特公表２００２−５０１１９４号
【００１８】
【非特許文献１】
Ｐｈｏｔｏ  ｍａｓｋ  ａｎｄ  Ｘ−Ｒａｙ  Ｍａｓｋ  Ｔｅｃｈｎｏｌｏｇｙ  ＩＶ，Ｖｏｌ．３０９６（１９９７），ｐｐ４０４−４１４，Ｐｅｒｆｏｒｍａｎｃｅ  ｏｆ  ｃｅｌｌ−ｓｈｉｆｔ  ｄｅｆｅｃｔ  ｉｎｓｐｅｃｔｉｏｎ  ｔｅｃｈｎｉｑｕｅ
【００１９】
【発明が解決しようとする課題】
このように従来のパターン欠陥検査装置においては、透過光と反射光の両方を利用する考えはあるものの、検査装置に必要な光源パワーの有効活用がなされておらず、且つ短波長化が進んでいる状況の中では検査視野での空間分離に伴う光量損失が大きく、感度が低下する問題があった。
【００２０】
本発明は、上記事情を考慮して成されたもので、その目的とするところは、透過光と反射光の両方を利用して試料上のパターン欠陥を検査することができ、且つ短波長光学系の検査視野の空間分離に伴う光量損失を抑制して感度の良い検査を行い得るパターン欠陥検査装置を提供することにある。
【００２１】
【課題を解決するための手段】
（構成）
上記課題を解決するために本発明は、次のような構成を採用している。
【００２２】
即ち本発明は、パターンが形成された被測定試料に光を照射して得られるパターン画像を用いてパターン欠陥を検査するパターン欠陥検査装置であって、前記試料のパターン形成面又はその反対側の面に所定波長の第１の検査光を照射すると共に、前記パターン形成面に第１の検査光と波長が等しい第２の検査光を照射する手段と、第１の検査光の照射による前記試料からの透過光と第２の検査光の照射による前記試料からの反射光とを独立に検出する手段と、前記試料のパターン形成面に対する光学的結像面近傍に設けられ、前記試料からの透過光と反射光とが、パターンの観察視野内で空間的に分離された視野から得られたものとなるように前記各検査光の照射領域又は検査領域を空間的に分離する手段とを具備してなることを特徴とする。
【００２３】
また本発明は、パターンが形成された被測定試料に光を照射して得られるパターン画像を用いてパターン欠陥を検査するパターン欠陥検査装置であって、前記試料のパターン形成面と反対側の面に所定波長の第１の検査光を照射する第１の照射光学系と、第１の検査光の照射による前記試料からの透過光を検出する第１の検出センサと、前記試料のパターン形成面に第１の検査光と波長が等しい第２の検査光を照射する第２の照射光学系と、第２の検査光の照射による前記試料からの反射光を検出する第２の検出センサと、前記試料のパターン形成面と前記各センサとの間の光学的結像面近傍に設けられ、前記試料からの透過光と反射光とを、パターンの観察視野内で空間的に分離された視野から得られるように分離する空間分離機構とを具備してなることを特徴とする。
【００２４】
また本発明は、パターンが形成された被測定試料に光を照射して得られるパターン画像を用いてパターン欠陥を検査するパターン欠陥検査装置であって、前記試料のパターン形成面に所定波長の第１の検査光を照射する第１の照射光学系と、第１の検査光の照射による前記試料からの透過光を検出する第１の検出センサと、前記試料のパターン形成面に第１の検査光とは波長が等しく偏光方向の異なる第２の検査光を照射する第２の照射光学系と、第２の検査光の照射による前記試料からの反射光を検出する第２の検出センサと、前記試料のパターン形成面と第２の検出センサとの間の光学的結像面近傍に設けられ、第１及び第２の検査光を反射又は透過して前記試料のパターン形成面に導き、前記試料からの反射光を透過又は反射して第２の検出センサに導く偏光ビームスプリッタとを具備してなることを特徴とする。
【００２５】
ここで、本発明の望ましい実施態様としては次のものが挙げられる。
【００２６】
（１）  空間分離機構により分離された透過光を第１の検出センサに導く第１の検出光学系と、空間分離機構により分離された反射光を第２の検出センサに導く第２の検出光学系とを更に備えたこと。
【００２７】
（２）  第２の照射光学系は、試料のパターン形成面と空間分離機構との間に設けられた偏光ビームスプリッタを有し、この偏光ビームスプリッタは、第２の検査光を反射して前記試料のパターン形成面に導くと共に、前記試料からの透過光及び反射光を通過させるものであること。
【００２８】
（３）  第２の照射光学系は、空間分離機構と第２の検出センサとの間に設けられた偏光ビームスプリッタを有し、この偏光ビームスプリッタは、第２の検査光を透過又は反射して空間分離機構に導くと共に、空間分離機構を介して得られる試料から反射光を反射又は通過させて第２の検出センサに導くものであること。
【００２９】
（４）  試料のパターン形成面に対する光学的結像面は、少なくともパターン形成面で観察される観察視野の拡大結像面であり、空間分離機構としてミラーを用い、このミラーを光学的結像面から少しずらした位置に固定したこと。
【００３０】
（５）  試料を搭載し照明光軸と垂直な面ＸＹ方向に移動するＸＹステージを備え、パターン画像取得にはＸＹステージの１軸を連続で移動させて行うと共に、検出センサとして電荷蓄積型のＴＤＩ（Ｔｉｍｅ  Ｄｅｌａｙ  Ｉｎｔｅｇｒａｔｉｏｎ）センサを用いると共に、電荷蓄積型のＴＤＩセンサは透過光検査と反射光検査で透過光検出センサのＴＤＩセンサの蓄積段と反射光検出センサの蓄積段とを、異ならせて（反射光側の蓄積段を多くして）使用すること。
【００３１】
（６）  第１の検出光学系、第２の検出光学系はそれぞれ独立して観察像の倍率を変更することができ、且つそれぞれの倍率に応じて第１の照明光学系、第２の照明光学系の照明視野を変更できること。
【００３２】
（７）  透過光検査と反射光検査を同時に実行する際、透過光が通過する第１の検出光学系の倍率と反射光が通過する第２の検出光学系の倍率とが異なった状態で使用すること。
【００３３】
（８）  第１の検出センサで得られた第１の画像の位置と第２の検出センサで得られた第２の画像の位置とを認識できる機能と、第１、２の画像をそれぞれ或いは少なくともどちらか一方に輝度調整、伸縮（倍率）調整、歪み調整、回転調整、センサの蓄積段数指定できる機能とを具備し、必要に応じて透過パターン検査、反射パターン検査或いは透過パターンと反射パターンとを用いた検査とをそれぞれ単独或いは同時に行うことができること。
【００３４】
（９）  透過パターン検査、反射パターン検査或いは透過パターンと反射パターンとを用いた検査はダイ−ダイ（Ｄｉｅ−ｔｏ−ｄｉｅ）検査或いはダイ−データベース（Ｄｉｅ−ｔｏ−ｄａｔａｂａｓｅ）検査であること。
【００３５】
（作用）
本発明によれば、検出光学系において透過光と反射光とを分離するために、偏光ビームスプリッタ等ではなく全反射ミラー等からなる空間分離機構を設け、試料からの透過光と反射光とを、パターンの観察視野内で空間的に分離された視野から得られるように分離している。このため、透過光と反射光との分離のために検出光学系において光量損失が生じるのを防止することができる。従って、透過光と反射光の両方を利用して試料上のパターン欠陥を検査することができ、且つ短波長光を用いた場合にあっても検出光学系における光量損失を抑制して感度の良い検査を行うことが可能となる。
【００３６】
【発明の実施の形態】
発明の実施形態を説明する前に、パターン欠陥検査装置の基本的構成について説明しておく。図７は、大規模ＬＳＩの製作に用いられるマスクの設計データと測定データとを比較してパターンの検査を行うパターン欠陥検査装置の構成例を示す図である。
【００３７】
この装置では、マスク６１に形成されたパターンにおける被検査領域８１が、図８に示されるように、仮想的に幅Ｗの短冊状の検査ストライプ８２に分割される。この分割された検査ストライプが連続的に走査されるように、図７に示すＸＹθテーブル６２に上記マスク６１を搭載し、その内の１軸のステージを連続移動させながら検査が実行される。他の１軸は上記ストライプ検査が終了したら隣のストライプを観察するためにステップ移動が行われる。
【００３８】
マスク６１は、オートローダ７４とオートロ−ダ制御回路７３を用いてＸＹθテーブル６２の上に載置されるが、テーブルの走行軸に対してパターンが平行になっているとは限らない。そのため、走行軸に平行に搭載できるようにθステージの上に固定される場合が多い。上記制御はＸモータ７５，Ｙモータ７６，θモータ７７とテーブル制御回路７８とを用いて行われる。
【００３９】
マスク６１に形成されたパターンには、適切な光源６３によって光が照射される。マスク６１を透過した光は拡大光学系６４を介してフォトダイオードアレイ６５に入射される。フォトダイオードアレイ６５の上には、図８に示す仮想的に分割されたパターンの短冊状領域の一部が拡大され、光学像として結像される。結像状態を良好に保つために拡大光学系６４がオートフォーカス制御されている。フォトダイオードアレイ６５上に結像されたパターンの像は、フォトダイオードアレイ６５によって光電変換され、さらにセンサ回路６６によりＡ／Ｄ変換される。このセンサ回路６６から出力された測定画像データは、位置回路６７から出力されたＸＹθテーブル６２上のマスク６１の位置を示すデータと共に比較回路６８に送られる。
【００４０】
一方、マスク６１のパターン形成時に用いた設計データは、磁気ディスク６９から制御計算機７０を介して展開回路７１に読み出される。展開回路７１では、読み出された設計データが２値又は多値の設計画像データに変換され、この設計画像データが参照回路７２に送られる。参照回路７２は、送られてきた図形の設計画像データに対して適切なフィルタ処理を施す。このフィルタ処理は、センサ回路６６から得られた測定パターンデータには、拡大光学系６４の解像特性やフォトダイオードアレイ６５のアパーチャ効果等によってフィルタが作用した状態になるため、設計画像データにもフィルタ処理を施して、測定画像データに合わせるために行われる。
【００４１】
比較回路６８は、測定画像データと適切なフィルタ処理が施された設計画像データとを適切なアルゴリズムに従って比較し、一致しない場合には欠陥有りと判定する。
【００４２】
上記の装置は、試料からの透過光を集光し検出系に導き画像データを得る方式であるが、透過光のみでは検出しにくい欠陥もあり、透過光と同時に反射光に基づいて欠陥検査を行うことが要望されている。そこで本発明では、透過型の光学系と反射型の光学系の両方を設け、透過光と同時に反射光に基づいて欠陥検査を行うようにしている。
【００４３】
以下、本発明の詳細を図示の実施形態によって説明する。
【００４４】
（第１の実施形態）
図１は、本発明の第１の実施形態に係わるパターン欠陥検査装置を説明するためのもので、特に光学システムを示す構成図の一例を示している。光学システム以外の構成は、前記図７と同様に構成すればよい。但し、透過光及び反射光の２つの光を検出するため、比較回路６８等を２系統設ける必要がある。
【００４５】
適当な短波長レーザ光源１から出た光は、まず適当な光源面を得るために、ビームエキスパンダ（図示せず）を経てハエの目レンズ状の多光源発生装置（図示せず）に導かれる。その後、多光源を１つに合成する照明光学系（例えばケーラ照明光学系；図示せず）に導かれる。ここで、レーザ１の光束はＳ偏光で調整されているものとする。その後、ハーフミラー２で光束は透過用光束（Ｓ偏光）と反射用光束（Ｓ偏光）に適当な割合で分離される。
【００４６】
透過用光束（Ｓ偏光）は、λ／４板３，透過光視野絞り４，コンデンサレンズ５を通り、被測定試料６を円偏光で照明する。透過光視野絞り４は、透過光の情報を取りたい部分の領域のみを照射するためのものであり、これにより光源の有効活用を図ることができる。被測定試料６を通過した透過光は、対物レンズ７とλ／４板８を通過してＰ偏光に偏光される。この透過光は、偏光ビームスプリッタ９（ＰＢＳ，このＰＢＳはＰ偏光を透過させる）、空間分離機構１０を素通りし、第１の検出光学系１１（図では破線で示し詳細は省く、主に倍率等を変更するレンズ系が組み込まれている）により、透過光検出センサ（第１の検出センサ）１２に集光される。
【００４７】
一方、ハーフミラー２で分離された反射用光束（Ｓ偏光）は、適当なミラー１３と反射用の視野絞り１４を介して偏光ビームスプリッタ９へ導かれる。反射用の視野絞り１４は、透過用視野絞り４と異なった領域を照射することによってレーザ光量の有効活用が図られている。偏光ビームスプリッタ９で反射光のＳ偏光は反射し、λ／４板８と対物レンズ７を経て被測定試料６のパターン面に到着し円偏光となる。これにより、透過光と反射光とが別の光路を経由してきたのに拘わらず、円偏光でパターン面を照射することができる。被測定試料６からの反射光は再度対物レンズ７とλ／４板８を通ってＰ偏光に偏光される。今度はＰＢＳ９を通過し空間分離機構１０に入る。
【００４８】
空間分離機構１０の近傍は被測定試料面の第１結像面になっており、その部分での倍率は本設計では約３０倍と被測定試料面より大幅に拡大されている。このため、図に示すように空間分離機構１０は単なるミラー構造で簡単に観察視野の空間分離が可能となっている。従って、上述したように視野の半分を透過用パターンの検出、他の半分を反射用パターンの検出に空間的に分離するように照射を行えば、観察視野を有効に使用することができる。そして、空間分離機構１０での光学像分離用にミラー１５を配置することによって、光量の損失無しに画像の空間分離が簡単に達成できる。
【００４９】
本光学システムでは、この部分に結像面を配置したことに特徴がある。ミラー１５は完全に結像面に配置して良いが、ミラー面が輝度による劣化やゴミ等の影響が懸念される場合は、図に示すように若干デフォーカスする位置に配置すればよい。
【００５０】
空間分離機構１０のミラー１５により反射した被測定試料面からの反射光は第２の検出光学系１６（本構造は透過光用の第１の検出光学系１１と同様変倍系で構成されている）に入射し、この光学系１６により反射光検出センサ１７（第２の検出センサ）に集光される。
【００５１】
本方式による光量の有効活用を先の（表１）に追加する形で数値を記入した（新方式と記載）ものを、下記の（表２）に示す。（表２）中に新方式と記しているのが本実施形態である。この（表２）から分かるように本実施形態では、少なくとも従来方式に比べ２倍の光量が得られることになる。反射光学系を実現する上で、この差は非常に有効である。
【００５２】
【表２】
2004301751.tif 000004
【００５３】
本実施形態の光学システムでは、図２に示すように対物レンズの観察視野を分離して使用し、且つ照明視野もその大きさに合わせて照射することで、光源パワーの有効活用が図られている。図中２０は対物レンズ結像面における視野を示している。第１、第２の検出センサが観察している領域はそれぞれ２１，２２で示されている。検出センサとしては、電荷蓄積型のＴＤＩセンサを用いるのが照射エネルギーが少ない場合には最適である。
【００５４】
このように配置された時、図のｘ方向が被測定試料を載せたステージが連続に移動する方向となる。ミラー１５の端面の加工精度によって分離できる間隔が決まるが、それ以外の制約によって決まるものでは無い。理論上ほぼ接近してセンサ領域を設定できる。透過光と反射光のバランスはハーフミラー２によって決定することができるが、その分配だけでは十分な反射光量を得られない場合もある。この場合、別々のレーザ光源を準備して光量を得るようにすればよいが、装置が複雑になったり高価となる。
【００５５】
ところが、電荷蓄積型のＴＤＩセンサは蓄積段を例えば１２８段，２５６段と製作することができるし、２５６段用のセンサも１２８段で使用することができる。これにより、光量が少ない場合であっても検査は十分に可能となる。また、透過光検査と反射光検査で透過光検出センサのＴＤＩセンサの蓄積段と反射光検出センサの蓄積段を異ならせて（反射光側の蓄積段を多くして）使用することが、同時検査を実行するときには有効である。この切り替え操作を装置の制御回路から行えるようにして光量に合わせて使用できることは、検査装置として非常に都合のいいものであることは容易に理解できる。
【００５６】
第１、第２の検出光学系は図３に示すように、その主な構造は変倍系で構成されている。例えば、第１結像レンズ２３は顕微鏡システムにおいて一般にチューブレンズと呼ばれる結像レンズである。その像を変倍リレー系２５，２６，２７によって拡大・縮小しセンサ上に再結像する。変倍リレー系２５，２６，２７は、必ずしも図３に示した構成によらなくとも構成可能である。２４は第１結像点、２８は最終結像レンズである。
【００５７】
これらの検出光学系１１，１６の主な目的は観察画像取得時の画像の倍率を変更して使用する場合に用いられる。透過光・反射光のそれぞれの検出光学系は本実施形態の場合は、同じ構造で製作されている。これは検査感度と関連して使用される。
【００５８】
透過・反射光はそれぞれ独立した検出光学系１１，１６に導入され、各々の検出センサ１２，１７に入る。独立した理由の１つは、多くの場合、透過光・反射光が分離できる結像面はセンサ上になり、その場所での透過・反射光分離を行うには光学系全体が大きくなる欠点があることによる。更に、本実施形態のように独立して変倍系を設けた場合、透過検査と反射検査とで倍率を変えて検査を実行することができるためである。
【００５９】
検出センサ上で得られる光量は倍率の２乗に反比例するため、ちょっとした倍率変更で足りない分の光量を得ることができる。例えば、透過検査では１６０倍の拡大率で検査を行い、反射検査で１３０倍の検査で行った場合、１．５倍の光量が反射側で得られることになる。透過検査を１６０倍で行っている場合は反射検査での１３０倍の領域は２割程大きく観察されるが、同じ場所を２重で検査することを許容してしまえば特に大きな問題は残らない。反射検査の方が一般に検出感度は高くなる傾向になるため、倍率が下がっても検査全体に与える影響は少ないといえる。これを、電荷蓄積型のＴＤＩセンサの蓄積段の変更と合わせて使うことで、透過光・反射光同時検査が十分可能となる。
【００６０】
上述のようにして得られた透過・反射画像を用いて実際に比較検査する手段には、大きく以下の２つの考え方がある。１つは、図４（ａ）に示すように、透過光検出センサ１２、及び反射光検出センサ１７からの出力画像を別々に補正回路３０，３１で補正した後、比較回路２９で検査する方法である。もう１つは、図４（ｂ）に示すように、透過光検出センサ１２、及び反射光検出センサ１７からの出力画像を補正・合成回路３２で、それぞれの画像を補正した後、画像を座標が一致するように合成し、得られた画像を使って比較回路２９で検査する方法である。
【００６１】
このように、センサ後段に補正回路を設けることにより、グローバルゲイン，ダイナミックゲイン，オフセット等を補正することができる。本実施形態ではこれらに加えて、画像の倍率補正と歪み補正、回転補正、位置補正を行える機能を持つ。
【００６２】
第１、第２検出光学系の倍率は正確に製作されたとしても、それぞれ完全に一致しているとは限らない。無論、倍率差を持って検査を実行する場合には補正は確実に必要である。また、透過光・反射光は同一視野内で見ているとはいえ、視野内の歪みによって画像は透過観察領域と反射観察領域とで差が発生する。さらに、反射像と透過像を比較する場合、ある時間では別の座標の画像を、それぞれ観察するために同一座標での画像を処理するためには、それぞれの回路に若干の画像メモリを準備しておく必要がある。それぞれに必要な理由は、被検査物の動きが逆転する場合に対応するためである。
【００６３】
また、座標軸を合わせるためにセンサの間隔に相当する位置補正量が必要である。蓄えられた画像メモリから、同一位置の画像を抽出するためには必要な情報であり、検査系の倍率変更を行った場合には、位置補正量は変化するため、それらの情報を指定或いは蓄えておくことも必要となる。同様なことは、倍率補正、歪み補正にも言える。このような機能を持つ光学システムが実用的な透過・反射検査を可能とする。
【００６４】
この補正を実現するためには、予めパターンの座標位置が分かっている試料を使って透過像と反射像の倍率差や歪量、回転を含んだ位置の差を測定しておき、これを用いて補正する方法がある。またそれとは別に、検査開始前や検査中に実際のパターンを取り込んで逐次補正しながら検査を行う方法もある。微細なパターンでは透過像と反射像の装置起因の差を測定することは難しいが、比較的大きなパターンを抽出して行えばこれらの測定補正は可能である。
【００６５】
このように本実施形態によれば、従来の方法に比べて光源に必要となる光量を小さくでき、且つ確実に透過・反射画像を取得できる。多くの場合、十分な光量が得られない状態での透過光・反射光の検査は不可能であった。実際、透過光のみの検査を実行し、更に反射光の検査は十分な時間をかけて別途行うなど極めて時間を要していた。これらの問題を一挙に解決して透過光・反射光による同時検査を効果的に行うことができる。
【００６６】
また、本実施形態のような視野分離は透過光・反射光の分離によって大幅な視野の拡大を必要としない。センサの大きさは長方形的な大きさであるため、従来は視野の中央に置かれていたが若干移動させるだけで２個のセンサを設置することができる。これは、空間分離という方法がなせるメリットであり、原理的にセンサを限りなく密着させることができるように考え出された光学システム・センサシステムである。従って、従来の光学系を大幅な設計変更無しに透過・反射の良好な画像を高速で得ることができる。
【００６７】
即ち、本実施形態の構成では、透過・反射を同時に行うことができるために装置の稼動率が大幅に向上する。そして、本実施形態の光学系及びセンサ方式をパターンの欠陥を検査する欠陥検査装置に用いた場合、システムを簡素化でき、信頼性が高く、かつ検出感度の高い欠陥検査を高速に行うことが可能となる。
【００６８】
（第２の実施形態）
図５は、本発明の第２の実施形態に係わるパターン欠陥検査装置を説明するためのもので、特に光学システムを示す構成図の一例を示している。なお、図１と同一部分には同一符号を付して、その詳しい説明は省略する。
【００６９】
本実施形態においても図１と同様に、レーザ１の光束はＳ偏光で調整されているものとする。この光束は、ハーフミラー２で透過用光束と反射用光束に適当な割合で分離される。透過用光束は図１と同じ方法で透過光検出センサ（第１の検出センサ）１２に集光される。しかし、後述する偏光ビームスプリッタ９は本実施形態では別の位置に設置されている。
【００７０】
一方、分離した反射用光束（Ｓ偏光）は、適当なミラー１３と反射用の視野絞り１４を介して偏光ビームスプリッタ９へ導かれるが、その光路は空間分離機構１０に向かうようにされている。第１の実施形態と同様に、反射用の視野絞り１４は透過用視野絞り４と異なった領域を照射することによって、レーザ光量の有効活用を図るものである。
【００７１】
偏光ビームスプリッタ９（ここではＳ偏光を透過しＰ偏光を反射するように設置されている）で透過した反射光（Ｓ偏光）は空間分離機構１０に入る。空間分離機構１０の近傍は被測定試料面の第１結像面になっており、その部分での倍率は本設計では約３０倍と被測定試料面より大幅に拡大されている。このため、図５に示すように、空間分離機構１０は単なるミラー構造で簡単に観察視野の空間分離が可能となっている。
【００７２】
ミラー１５で反射した反射光束は、λ／４板８、対物レンズ７を経て被測定試料６のパターン面に到着し円偏光となる。これで透過光と反射光とが別の光路を経由してきたのに拘わらず、円偏光でパターン面を照射することができる。被測定試料６の反射光は、再度対物レンズ７とλ／４板８を通ってＰ偏光に偏光される。そして、空間分離機構１０のミラー１５に入り、再度反射してＰＢＳ９に入射する。光学像分離を図示するようにミラー１５を配置する構造とすることによって、光量の損失無しに画像の空間分離が簡単に達成できる。ミラー１５は完全に結像面に配置して良いが、ミラー面の輝度による劣化やゴミ等の影響が懸念される場合は、図に示すように若干デフォーカスする位置に配置しても良い。
【００７３】
ＰＢＳ９ではＰ偏光は反射し、結果的に被測定試料６からの反射光は第２の検出光学系１６（本構造は透過光用の第１の検出光学系と同様変倍系で構成されている）に入射し、この光学系１６により反射光検出センサ１７（第２の検出センサ）に導かれる。
【００７４】
本実施形態の場合も、光量損失を纏めた結果は先の（表２）に示した光量となり、従来よりも効果的に反射光を取得することができる。
【００７５】
なお、上記第１，第２の実施形態に留まらず、ミラー，ハーフミラー，ＰＢＳ，空間分離機構等の配置は様々な場合が考えられる。入射光が被測定試料面の一方向から照射された場合でも、同様な空間分離機構を結像面に配置することによって、容易に透過・反射画像を得ることができる。分離は上述したように拡大された結象面で行っているため、ミラー構造空間分離方法が採用でき、透過光・反射光の効率的な分離が可能となっている。
【００７６】
（第３の実施形態）
図６は、本発明の第３の実施形態に係わるパターン欠陥検査装置を説明するためのもので、特に光学システムを示す構成図の一例を示している。なお、図１と同一部分には同一符号を付して、その詳しい説明は省略する。
【００７７】
レーザ等の光源１からの光束（Ｓ波）は、ハーフミラー２により一方は反射用、他方は透過用に別けられる。光量の分配は適宜実際の必要光量の応じて設定される。それぞれの光束は視野絞り４，１４を通りＰＢＳ９に入りλ／４板８によって回転、対物レンズ７を通して被測定試料６を照明する。この場合の照射領域は、前記図２で示したように視野全体或いは２個のセンサが必要とする領域のみでよい。本実施形態の場合、透過光・反射光は別々に照射されている。ここで、ＰＢＳ９の配置位置は結像面位置である。こうすることによって、照射領域の分離のためにある強度差を持って確実に照射できる。
【００７８】
被測定試料６を透過した光はコンデンサレンズ５を通って第１の検出光学系１０を経て透過光検出センサ１２に入る。この場合、コンデンサレンズ５は上記対物レンズ並みの高精度化を要求されるため、このシステムでは高価になり不利である欠点を持つ。一方、被測定試料面からの反射光は再度対物レンズ７、λ／４板８を通ってＰ偏光となり、ＰＢＳ９を通過し、第２の検出光学系１６を経て反射光検出センサ１７に入る。
【００７９】
このような構成であっても、透過光と反射光の両方に基づいた検査が可能である。
【００８０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００８１】
【発明の効果】
以上詳述したように本発明によれば、透過光と反射光の両方を利用してパターン欠陥を検査すると共に、試料のパターン面の光学的結像面近傍に設けられた空間的分離機構により、透過光と反射光とを物理的に分離することによって、透過光と反射光の両方を利用して試料上のパターン欠陥を検査することができ、且つ光量損失を伴うことなく短波長光学系の検査視野の空間分離を行うことができ、光量損失を抑制して感度の良い検査を行うことができる。
【図面の簡単な説明】
【図１】第１の実施形態に係わるパターン欠陥検査装置における光学システムの構成を示す図。
【図２】第１の実施形態における光学システムの観察視野分離方法の一例を示す図。
【図３】第１の実施形態における光学システムの変倍系の構成の一例を示す図。
【図４】第１の実施形態における画像の比較方法を説明するための回路構成を示す図。
【図５】第２の実施形態に係わるパターン欠陥検査装置における光学システムの構成を示す図。
【図６】第３の実施形態に係わるパターン欠陥検査装置における光学システムの構成を示す図。
【図７】パターン欠陥検査装置の基本的な構成を示す図。
【図８】フォトマスクの検査ストライプを説明するための模式図。
【図９】従来のパターン欠陥検査装置における光学システム構成の一例を示す図。
【符号の説明】
１…レーザ光源
２…ハーフミラー
３，８…λ／４板
４…透過光視野絞り
５…コンデンサレンズ
６…被測定試料
７…対物レンズ
９…偏光ビームスプリッタ（ＰＢＳ）
１０…空間分離機構
１１…第１の検出光学系
１２…透過光検出センサ（第１の検出センサ）
１３，１５…ミラー
１４…反射光視野絞り
１６…第２の検出光学系
１７…反射光検出センサ（第２の検出センサ）
２０…対物レンズ視野
２１，２２…観察領域
２３…第１結像レンズ
２４…第１結像点
２５，２６，２７…変倍リレー系
２８…最終結像レンズ
２９…比較回路
３０，３１…補正回路
３２…補正・合成回路
【図１】
2004301751.tif 000005
【図２】
2004301751.tif 000006
【図３】
2004301751.tif 000007
【図４】
2004301751.tif 000008
【図５】
2004301751.tif 000009
【図６】
2004301751.tif 000010
【図７】
2004301751.tif 000011
【図８】
2004301751.tif 000012
【図９】
2004301751.tif 000013